(57)【要約】【課題】  滑りやすい地面上でも滞りなく巻取作業を継続でき、さらには固締めされた美麗なロールホースを形成可能な巻取具を提供する。【解決手段】  本発明に係る巻取具は、操作桿１の下端部１ｂに該操作桿１の軸方向と直交する方向に延びる回転軸２を設けると共に、該回転軸２と一緒に回転する巻取部３を設け、回転軸２を巻取部３の前転方向にのみ回転可能とする第一回転制御手段６と、操作桿１に回転可能に設けられ回転軸２と並行するレバー用軸４と、該レバー用軸４に設けられ回動により同レバー用軸を回転させるレバー５と、該レバー５の回動力の内、回転軸２の回転可能方向と一致する回動力のみを回転軸２に伝達する第二回転制御手段７と、レバー用軸４に設けられ該レバー用軸４と一緒に回転する第一ギヤ８と、回転軸２に設けられ第一ギヤ８と咬合し且つ該回転軸２と一緒に回転する第二ギヤ９とを備える。【選択図】  図１
2020083613.tif 000002
【特許請求の範囲】
【請求項１】
操作桿の下端部に該操作桿の軸方向と直交する方向に延びる回転軸を設けると共に、該回転軸と一緒に回転する巻取部を設け、該巻取部の回転によりホースを巻き取ることができる消防用ホース巻取具であって、上記回転軸を上記巻取部の前転方向にのみ回転可能とする第一回転制御手段と、上記操作桿に回転可能に設けられ上記回転軸と並行するレバー用軸と、該レバー用軸に設けられ回動により同レバー用軸を回転させるレバーと、該レバーの回動力の内、上記回転軸の回転可能方向と一致する回動力のみを上記回転軸に伝達する第二回転制御手段と、上記レバー用軸に設けられ該レバー用軸と一緒に回転する第一ギヤと、上記回転軸に設けられ上記第一ギヤと咬合し且つ該回転軸と一緒に回転する第二ギヤとを備え、上記レバーの回動によって上記回転軸を介した上記巻取部の前転方向への回転を補完することを特徴とする消防用ホース巻取具。
【請求項２】
上記第二ギヤよりも上記第一ギヤを大径とすることを特徴とする請求項１記載の消防用ホース巻取具。
【請求項３】
上記回転軸に該回転軸の回転とは無関係に独自回転する車輪を設けたことを特徴とする請求項１又は請求項２に記載の消防用ホース巻取具。
【請求項４】
上記巻取部は上記回転軸と一緒に回転する円盤部と、該円盤部から側方に突出する一対の巻取ピンを備えることを特徴とする請求項１乃至請求項３のいずれかに記載の消防用ホース巻取具。
【請求項５】
上記巻取ピンの一方を上記円盤部の回転中心から突出して設けると共に、他方を上記円盤部の回転中心から偏心した位置から突出して設けることを特徴とする請求項４記載の消防用ホース巻取具。
【請求項６】
上記一方の巻取ピンの突出長さが上記他方の巻取ピンの突出長さよりも長いことを特徴とする請求項５記載の消防用ホース巻取具。
【請求項７】
上記巻取部は、周壁にスリットを有する巻取ドラムから成ることを特徴とする請求項１乃至請求項３のいずれかに記載の消防用ホース巻取具。
【請求項８】
上記操作桿の上端部と上記レバーの上端部を同レベルにし、上記操作桿の上端部に側方に突出する第一グリップを設けると共に、該第一グリップと逆向きに突出する第二グリップを上記レバーの上端部に設けたことを特徴とする請求項１乃至請求項７のいずれかに記載の消防用ホース巻取具。
【発明の詳細な説明】
【技術分野】
【０００１】
本発明は、使用後の消防用ホースを巻き取る器具に関する。
【背景技術】
【０００２】
消防用ホースの巻取具として下記特許文献１に示すものが既知である。該巻取具は、操作桿の下端部に該操作桿の軸方向と直交する方向に延びる軸部を設け、該軸部に円筒状の巻取ドラムを一方向のみ回転可能に軸支した構成を備え、該巻取ドラムを回転させることにより、作業者は中腰にならずに立ったままでホースを巻き取ることができ、巻取作業の負担を大幅に軽減できる。
【先行技術文献】
【特許文献】
【０００３】
【特許文献１】特開２０１８−１６２１５９号公報
【発明の概要】
【発明が解決しようとする課題】
【０００４】
上記特許文献１の消防用ホース巻取具（以下、単に「巻取具」という。）を使用すれば、巻取ドラムを地上に敷いたホース上で回転することにより、一重巻きの場合（ホースの一端部から他端部まで全長に亘り巻き取る場合）のみならず、二重巻きの場合（ホースを長さ方向の略中心で折り返し二重にして巻き取る場合）も容易且つ適切にホースを巻き取ることができる。
【０００５】
但し、上記特許文献１の巻取具にあっては、ホースを敷いた地面がぬかるみ等の滑りやすい地面である場合に、稀に、敷かれたホースが滑ってしまって上手く巻取りドラムを回転できずに、巻取作業が滞ってしまうときがある。このようなときでも、巻取具ごと後方にずらす等、別の場所に強制的に移動させれば、すぐに巻取作業が再開できるが、滑りやすい地面上でも滞りなく巻取作業を継続できる巻取具が要望されている。
【課題を解決するための手段】
【０００６】
本発明は、滑りやすい地面上でも滞りなく巻取作業を継続でき、さらには固締めされた美麗なロールホース（巻き取られてロール状となったホース）を形成することができる巻取具を提供する。
【０００７】
要述すると、本発明に係る巻取具は、操作桿の下端部に該操作桿の軸方向と直交する方向に延びる回転軸を設けると共に、該回転軸と一緒に回転する巻取部を設け、該巻取部の回転によりホースを巻き取ることができる消防用ホース巻取具を前提構成とし、次の具体的構成を備える。
【０００８】
すなわち、上記回転軸を上記巻取部の前転方向にのみ回転可能とする第一回転制御手段と、上記操作桿に回転可能に設けられ上記回転軸と並行するレバー用軸と、該レバー用軸に設けられ回動により同レバー用軸を回転させるレバーと、該レバーの回動力の内、上記回転軸の回転可能方向と一致する回動力のみを上記回転軸に伝達する第二回転制御手段と、上記レバー用軸に設けられ該レバー用軸と一緒に回転する第一ギヤと、上記回転軸に設けられ上記第一ギヤと咬合し且つ該回転軸と一緒に回転する第二ギヤとを備え、上記レバーの回動によって上記回転軸を介した上記巻取部の前転方向への回転を補完することができる。よって、確実且つ適切にホースを巻き始められると共に、滑りやすい地面上でも滞りなく巻取作業を行うことができる。
【０００９】
好ましくは、上記第二ギヤよりも上記第一ギヤを大径とする構成とすることにより、上記巻取部の回転（前転）補完のための上記レバーの回動を可及的に少ない回動量で行うことができる。
【００１０】
また、上記回転軸に該回転軸の回転とは無関係に独自回転する車輪を設けることにより、巻き始めにおける巻取具の前進をスムーズにすると共に、巻取作業を行っていないときの巻取具の移動を容易にする。
【００１１】
好ましくは、上記巻取部は上記回転軸と一緒に回転する円盤部と、該円盤部から側方に突出する一対の巻取ピンを備える構成とすることにより、簡易構造ながらも確実且つ適切にホースを二重巻きすることができる。
【００１２】
さらに好ましくは、上記巻取ピンの一方を上記円盤部の回転中心から突出して設けると共に、他方を上記円盤部の回転中心から偏心した位置から突出して設けることにより、上記一方の巻取ピンを中心として上記他方の巻取ピンがホースを巻き取ることができ、中心部まで固締めされた美麗なロールホースを形成することができる。
【００１３】
加えて、上記一方の巻取ピンの突出長さが上記他方の巻取ピンの突出長さよりも長い構成とすることにより、ロールホース形成後に双方の上記巻取ピンを容易に当該ロールホースから抜き取ることができる。
【００１４】
また、上記巻取部は、周壁にスリットを有する巻取ドラムから成る構成とすることもできる。この場合、一重巻きするときに容易且つ確実にホースを巻き始めることができると共に、滞りなく巻取作業を継続することができる。
【００１５】
また、上記操作桿の上端部と上記レバーの上端部を同レベルにし、上記操作桿の上端部に側方に突出する第一グリップを設けると共に、該第一グリップと逆向きに突出する第二グリップを上記レバーの上端部に設けることにより、上記第一グリップと上記第二グリップをそれぞれ片手で把持し前進できるため、安定した巻取作業を行うことができる。
【発明の効果】
【００１６】
本発明に係る巻取具によれば、滑りやすい地面上でも、滞りなくホースを一重巻き又は二重巻きすることができる。
【００１７】
また、容易且つ確実に巻き始めることができ、巻取終了時には固締めされた美麗なロールホースを形成することができる。
【図面の簡単な説明】
【００１８】
【図１】実施例１に係る巻取具の斜視図である。
【図２】巻取部の前転補完機構を表側から示す拡大説明図である。
【図３】巻取部の前転補完機構を裏側から示す拡大説明図である。
【図４】巻取部の前転補完機構におけるギヤの咬合状態を示す説明図である。
【図５】実施例１に係る巻取具の使用状態を示す説明図である。
【図６】実施例１に係る巻取具の巻取部を示す図であり、（Ａ）は図１に示す巻取部の拡大斜視図、（Ｂ）は巻取部の他例を示す拡大斜視図である。
【図７】実施例２に係る巻取具の斜視図である。
【図８】実施例２に係る巻取具の使用状態を示す説明図である。
【発明を実施するための形態】
【００１９】
本発明に係る巻取具の最適な実施例について、図１乃至図８に基づき詳述する。
【００２０】
＜各実施例の巻取具の共通構成＞
図１は実施例１に係る巻取具を、図７は実施例２に係る巻取具をそれぞれ示している。これら本発明に係る巻取具は、真っ直ぐに延びる棒状の操作桿１と、該操作桿１の下端部１ｂに軸固定用金具１３を介して同操作桿１の軸方向と直交する方向に延びるように設けられた回転軸２と、該回転軸２と一緒に回転する巻取部３を設ける基本構成を有しており、地上に敷いたホースを巻取部３の回転（前転）により巻き取ることができる。なお、本発明においては、操作桿１の下端部１ｂに回転軸２を設ければよく、軸固定用金具１３を用いずに、直接、操作桿１に回転軸２を固定してもよいことは勿論である。
【００２１】
また、本発明に係る巻取具は、図２乃至図４に示すように、巻取部前転補完機構を備える。なお、図２乃至図４は実施例１の巻取具に基づき描いているが、実施例２の巻取具は巻取部３が実施例１とは異なるが、巻取部前転補完機構においては同様である。当該機構においては、まず、回転軸２と並行するレバー用軸４を操作桿１に軸固定用金具１３を介して回転可能に設け、該レバー用軸４にレバー５を設ける構成を有している。
【００２２】
加えて、回転軸２に該回転軸２を巻取部３の前転方向にのみ回転可能とする第一回転制御手段６を設けると共に、レバー５の回動を制御する第二回転制御手段７をレバー用軸４とレバー５間に設ける構成を有している。さらに、レバー用軸４に該レバー用軸４と一緒に回転する第一ギヤ８を設ける一方、回転軸２に該回転軸２と一緒に回転する第二ギヤ９を設け、該第一ギヤ８と該第二ギヤ９とを咬合する構成を有している。なお、第一回転制御手段６及び第二回転制御手段７は、いずれも円筒状のケースに内包した既知のラチェット機構やワンウェイクラッチ機構等である。
【００２３】
第一回転制御手段６は、回転軸２の回転を巻取部３が前転方向にのみ許容し、巻取部３の後転方向の回転軸２の回転を規制するため、巻取部３の前転によって巻き取られたホースが巻取部３の後転によって緩むことはない。
【００２４】
また、第二回転制御手段７は、図４における左方（巻取具の前方）へのみレバー５の回動を許容し、逆に図４における右方（巻取具の後方）へのレバー５の回動を規制する。よって、レバー５は第二回転制御手段７の規制に抗して強制的に右方に回動することにより、レバー用軸４を介して第一ギヤ８を右方に回転（後転）させることができ、該第一ギヤ８の回転に伴い、該第一ギヤ８と咬合する第二ギヤ９が左方に回転（前転）して回転軸２を回転させ、最終的に巻取部３を左方に回転、つまり前転させる。したがって、第二回転制御手段７は、レバー５の回動力の内、回転軸２の回転可能方向と一致する回動力のみ、つまり巻取部３の前転方向と一致する回動力のみを回転軸２に伝達する。その上、第二回転制御手段７は、巻取部３が前転しながら自走するときは、該巻取部３の前転による第二ギヤ９の前転に伴う第一ギヤ８の後転を許容し、巻取部３の自走を妨げない。
【００２５】
本発明に係る巻取具は、既述の巻取部回転補完機構により、レバー５の回動によって回転軸２を介した巻取部３の前転方向への回転を補完することができ、確実且つ適切にホースを巻き始められると共に、滑りやすい地面上でも滞りなく巻取作業を行うことができる。
【００２６】
望ましくは、第一ギヤ８は第二ギヤ９よりも大径とすることにより、第一ギヤ８を介して伝達されるレバー５の回動力を効率良く伝達することができる。すなわち、回転軸２を介した巻取部３の前転方向への回転を補完するためのレバー５の回動を可及的に少ない回動量で行うことができる。また、レバー５の長さを長くすることにより、テコの原理によって、レバー５の回動を小さい力で行うことができる。なお、第一ギヤ８と第二ギヤ９の直径の比は特に限定されるものではなく、適宜調整することができる。
【００２７】
また、本発明の巻取具は、回転軸２に既知のコマーシャルベアリング等を介して該回転軸２の回転とは無関係に独自回転する車輪１０を設けることにより、巻き始め、特に二重巻きにおいて形成途中のロールホースの外周部が地面に接していない時における前進をスムーズにすると共に、巻取作業を行っていないときの巻取具の移動を容易にすることができる。
【００２８】
また、本発明の巻取具にあっては、操作桿１の上端部１ａとレバー５の上端部５ａを同レベルにし、操作桿１の上端部１ａに側方に突出する第一グリップ１１を設けると共に、該第一グリップ１１と逆向きに突出する第二グリップ１２をレバー５の上端部５ａに設けることにより、図８に示すように、第一グリップ１１と第二グリップ１２をそれぞれ片手で把持し前進できるため、安定した巻取作業を行うことができる。
【００２９】
≪実施例１に係る巻取具≫
図１・図５に示すように、本実施例に係る巻取具は、ホースを二重巻きする場合に対応することができ、既述した共通構成を備えると共に、二重巻きに適した巻取部３を備えている。
【００３０】
本実施例における巻取部３は、図６（Ａ）に示すように、回転軸２に固定され該回転軸２と一緒に回転する円盤部３ａと、該円盤部３から側方に回転軸２の軸方向と同向きに突出する一対の巻取ピン３ｂ・３ｃを備える構成とし、簡易構造ながらも確実且つ適切にホースを二重巻きすることができるようにする。
【００３１】
好ましくは、一方の巻取ピン３ｂ（以下、「第一巻取ピン３ｂ」という。）を円盤部３ａの回転中心から突出して設けると共に、他方の巻取ピン３ｃ（以下、「第二巻取ピン３ｃ」という。）を円盤部３ａの回転中心から偏心した位置から突出して設ける。当該構成により、第一巻取ピン３ｂを中心として第二巻取ピン３ｃがホースを巻き取ることができ、中心部まで固締めされた美麗なロールホースを形成することができる。すなわち、二重巻きにおいて、第一巻取ピン３ｂをホースの折り返し部分に配し、その周りを第二巻取ピン３ｃが遊星運動しながらホースを巻き取ることによって、中心部をしっかりと巻き締められたロールホースを形成することができる。
【００３２】
加えて、本実施例の巻取部３においては、第一巻取ピン３ｂの突出長さが第二巻取ピン３ｃの突出長さよりも長い構成とするのが望ましい。第一巻取ピン３ｂの突出長さを長くすることにより、巻取時には確実に第一巻取ピン３ｂを確実に形成途中のロールホースの中心部に差し込むことができる。また、第二巻取ピン３ｃの突出長さを短くすることにより、ロールホース形成後に第二巻取ピン３ｃをロールホースから容易に抜き取ることができる。なお、第一巻取ピン３ｂは、もともとロールホースの中心部の空洞に存するため、突出長さが長くても容易に抜き取ることができる。
【００３３】
また、本実施例における巻取部３の他例として、図６（Ｂ）に示すように、第一巻取ピン３ｂと第二巻取ピン３ｃの双方を円盤部３ａの回転中心から偏心して突出するようにしても良い。この場合、第一巻取ピン３ｂと第二巻取ピン３ｃの双方の突出長さを同等とすることや異なるようにすることも実施に応じ任意であり、円盤部３ａの回転中心から偏心する長さを第一巻取ピン３ｂと第二巻取ピン３ｃとで異なる長さとしても良い。
【００３４】
また、本実施例においては、図１・図５に示すように、折り返したホースの一方の部分Ｈ１を巻取部３に案内する第一ガイド部２０を巻取部３の進行方向の前方に設けると共に、折り返したホースの他方の部分Ｈ２を巻取部３に案内する第二ガイド部３０を巻取部３の進行方向の後方且つ該巻取部３よりも上位に設ける構成とすることができる。これら第一ガイド部２０及び第二ガイド部３０により、ホースの皺や捩じれを解消しつつ二重に巻き取ることができると共に、ホースを確実に巻取部３へ導くことができる。
【００３５】
第一ガイド部２０は、回転軸２に軸固定用金具１３を介して回動可能に軸支され、巻取作業時には巻取部３の進行方向に沿って配される支持フレーム２１と、巻取部３に対向するように設けられた第一ローラー部２２及び第二ローラー部２３と、支持フレーム２１の先端部に設けられた車輪２４とから成る。
【００３６】
第一ローラー部２２は、ホースの底部を案内する底部用ローラー２２ａと、ホースの側部をそれぞれ案内する一対の側部用ローラー２２ｂとを有し、これらローラー２２ａ・２２ｂを巻取部３に対向するように支持する支持アーム２２ｃを介して支持フレーム２１に固定されている。また、第二ローラー部２３は、第一ローラー部２２の底部用ローラー２２ａと対峙しホースの天部を案内する天部用ローラー２３ａを有し、該ローラー２３ａを巻取部３に対向するように支持する支持アーム２３ｂを介して支持フレーム２１に固定されている。
【００３７】
好ましくは第一ローラー部２２の底部用ローラー２２ａを第二ローラー部２３の天部用ローラー２３ａよりも下位且つ前方に設定する。なお、第二ローラー部２３の天部用ローラー２３ａについては、省略することも実施に応じ任意である。
【００３８】
また、第一ローラー部２２の支持アーム２２ｃと第二ローラー部２３の支持アーム２３ｂを安定して支えるため、支持アーム２２ｃと支持アーム２３ｂとを繋ぐ中間フレーム２５を設け、該中間フレーム２５の先端部に車輪２４を設けても良い。なお、第一ガイド部２０においては、第一ローラー部２２と第二ローラー部２３の各ローラーを巻取部３に対向するように支持することができれば、支持手段は既述した構成に限らない。
【００３９】
第二ガイド部３０は、操作桿１に固定された支持アーム３１と、該支持アーム３１により支持される第一ローラー部３２及び第二ローラー部３３とから成る。
【００４０】
第一ローラー部３２は、ホースの底部を案内する底部用ローラー３２ａと、ホースの側部をそれぞれ案内する一対の側部用ローラー３２ｂとを有し、これらローラー３２ａ・３２ｂを巻取部３に対向するように支持アーム３１にて支持されている。また、第二ローラー部３３は、第一ローラー部３２の底部用ローラー３２ａと対峙しホースの天部を案内する天部用ローラー３３ａを有し、該ローラー３３ａを巻取部３に対向するように支持アーム３３ｂ及び中間フレーム３３ｃを介して支持アーム３１に固定されている。
【００４１】
好ましくは第一ローラー部３２の底部用ローラー３２ａを第二ローラー部３３の天部用ローラー３３ａよりも上位且つ後方に設定する。
【００４２】
なお、第二ローラー部３３の天部用ローラー３３ａについては、省略することも実施に応じ任意である。また、第二ガイド部３０においては、第一ローラー部３２と第二ローラー部３３の各ローラーを巻取部３に対向するように支持することができれば、支持手段は既述した構成に限らない。
【００４３】
最後に、上記説明した実施例１に係る巻取具によるホースの二重巻きについて説明する。ホースを二重巻きする場合には、まず、ホースの中途部を折り返して二重端部を形成し、該二重端部の内側に巻取部３の第一巻取ピン３ｂを差し込むと共に同二重端部の外側に第二巻取ピン３ｃを配し、両巻取ピン３ｂ・３ｃでホースを挟むようにする。
【００４４】
好ましくは、上記した二重端部をホースの長さ方向の中心よりもずらして形成して、当該ホースを折り返したホースの一方の部分Ｈ１（以下、単に「ホースの一方部分」という。）を折り返したホースの他方の部分Ｈ２（以下、単に「ホースの他方部分」という。）よりも短くし、図５に示すように、ホースの一方部分Ｈ１を巻取部３の下側から巻き取ると共に、ホースの他方部分Ｈ２を巻取部３の上側から巻き取ることにより、ホースを巻取部３に確実に二重巻きすることができる。
【００４５】
加えて、ホースの一方部分Ｈ１は、巻き取られる前に第一ガイド部２０の第一ローラー部２２により一旦持ち上げられつつ巻取部３に巻き取られるように位置合わせされ、同ガイド部２０の第二ローラー部２３により地上に戻されて巻取部３にて巻き取られるように待機する。よって、ホースの一方部分Ｈ１を確実に巻取部３へと導くことができる。
【００４６】
また、ホースの他方部分Ｈ２は、巻き取られる前に第二ガイド部３０の第一ローラー部３２により一旦持ち上げられつつ巻取部３に巻き取られるように位置合わせされ、自重により巻取部３側に落ちていく過程で同ガイド部３０の第二ローラー部３３によって巻き取られやすいように方向転換された後、巻取部３に巻き取られる。
【００４７】
また、上記のようにホースの一方部分Ｈ１よりも長い、ホースの他方部分Ｈ２が巻取部３の後方且つ上方の第二ガイド部３０を経由することから、その経由距離を調整してホースの他方部分Ｈ２とホースの一方部分Ｈ１の長さの差分を吸収でき、両部分Ｈ１，Ｈ２の終端となる口金をほぼ同時に巻取部３に到達させることができる。
【００４８】
≪実施例２に係る巻取具≫
図７・図８に示すように、本実施例に係る巻取具は、ホースを一重巻きする場合に対応でき、既述した共通構成を備えると共に、一重巻きに適した巻取部３を備えている。
【００４９】
本実施例における巻取部３は、図７に示すように、周壁にスリット３ｅを有する巻取ドラム３ｄから成り、図８に示すように、全長に亘り地上に敷いたホースＨの一端部の口金（雄雌どちらでも可）を、スリット３ｅを通じて巻取ドラム３ｄの内部に配して、ホースＨ上で巻取ドラム３ｄを回転していけば、スリット３ｅの縁部が巻取始点となって容易且つ適切にホースＨを全長に亘り巻き取ることができる。
【００５０】
したがって、本実施例に係る巻取具によれば、一重巻きするときに容易且つ確実にホースを巻き始めることができる。また、既述の巻取部前転補完機構により、滑りやすい地面上であっても、滞りなく巻取作業を継続することができる。また、巻取終了時には固締めされた美麗なロールホースを形成することができる。
【００５１】
また、本実施例においても、実施例１と同様に、第一ガイド部２０を設けることができ、巻き取られる前のホースが第一ローラー部２２により一旦持ち上げられつつ巻取部３（巻取ドラム３ｄ）に巻き取られるように位置合わせされ、第二ローラー部２３により地上に戻されて巻取部３にて巻き取られるように待機する。よって、ホースを確実に巻取部３へと導くことができる。なお、ホースの口金は第一ガイド部２０を通過できないため、ホースの他端部の口金（巻き取り終点側の口金）がガイド部２０の手前に達した時点でガイド部２０からホースを外すことは言うまでもない。
【符号の説明】
【００５２】
１…操作桿、１ａ…上端部、１ｂ…下端部、２…回転軸、３…巻取部、３ａ…円盤部、３ｂ…第一巻取ピン、３ｃ…第二巻取ピン、３ｄ…巻取ドラム、３ｅ…スリット、４…レバー用軸、５…レバー、５ａ…上端部、６…第一回転制御手段、７…第二回転制御手段、８…第一ギヤ、９…第二ギヤ、１０…車輪、１１…第一グリップ、１２…第二グリップ、１３…軸固定用金具、２０…第一ガイド部、２１…支持フレーム、２２…第一ローラー部、２２ａ…底部用ローラー、２２ｂ…側部用ローラー、２２ｃ…支持アーム、２３…第二ローラー部、２３ａ…天部用ローラー、２３ｂ…支持アーム、２４…車輪、２５…中間フレーム、３０…第二ガイド部、３１…支持アーム、３２…第一ローラー部、３２ａ…底部用ローラー、３２ｂ…側部用ローラー、３３…第二ローラー部、３３ａ…天部用ローラー、３３ｂ…支持アーム、３３ｃ…中間フレーム、Ｈ…ホース、Ｈ１…折り返したホースの一方の部分（ホースの一方部分）、Ｈ２…折り返したホースの他方の部分（ホースの他方部分）。
【図１】
2020083613.tif 000003
【図２】
2020083613.tif 000004
【図３】
2020083613.tif 000005
【図４】
2020083613.tif 000006
【図５】
2020083613.tif 000007
【図６】
2020083613.tif 000008
【図７】
2020083613.tif 000009
【図８】
2020083613.tif 000010